(57)【要約】      （修正有）【課題】外部胴の彫刻を施せる領域を拡大して装飾の自由度を高め、外部胴の周壁に各種の音発生部材を取り付けられる三味線を提供する【解決手段】三味線は、内部胴１１０と外部胴１２０を備える。内部胴１１０が外部胴１２０の内部に具設されており、内部胴１１０の外壁と外部胴１２０の内壁との間に中空空間１５０が形成される。【選択図】図１
2019074725.tif 000002
【特許請求の範囲】
【請求項１】
内部胴１１０と外部胴１２０を備え、
前記内部胴１１０が前記外部胴１２０の内部に具設されており、
前記内部胴１１０の外壁と前記外部胴１２０の内壁との間に中空空間１５０が形成されていることを特徴とする三味線。
【請求項２】
前記内部胴１１０の経口１１１に固着された状態で
表皮１４０が備えられていることを特徴とする請求項１に記載の三味線。
【請求項３】
前記外部胴１２０の経口１２１に固着された状態で
表皮１４０が備えられていることを特徴とする請求項１または２に記載の三味線。
【請求項４】
前記表皮１４０における前記中空空間１５０の上部領域の全部または一部において、
ホール部１９０が設けられていることを特徴とする請求項１乃至３のいずれか一つに記載の三味線。
【請求項５】
前記内部胴１１０は、中空の略円柱形状または中空の略四角柱形状であることを特徴とする請求項１乃至４のいずれか一つに記載の三味線。
【請求項６】
前記外部胴１２０の周壁１２２に、少なくとも一つの貫通部１２５が形成されていることを特徴とする請求項１乃至５のいずれか一つに記載の三味線。
【請求項７】
前記内部胴１１０と前記外部胴１２０との間に、介在部材１６０が設けられていることを特徴とする請求項１乃至６のいずれか一つに記載の三味線。
【請求項８】
前記貫通部１２５の内部に、音発生部材１８０が取り付けられていることを特徴とする請求項１乃至７のいずれか一つに記載の三味線。
【発明の詳細な説明】
【技術分野】
【０００１】  本発明は、三味線に関するものである。
【背景技術】
【０００２】  胴の周壁に彫刻を加えることで三味線の意匠性を向上させる試みが行われていた。
【発明の概要】
【発明が解決しようとする課題】
【０００３】  従来の三味線の胴に意匠性を加えるには、胴の周壁の厚みにより彫刻など多様な装飾や異質な胴機能を施すことの出来る領域が制限されていた。【０００４】
【課題を解決するための手段】
【０００５】  上記の目的を達成するため、本発明は、内部胴１１０と外部胴１２０を備え、前記内部胴１１０が前記外部胴１２０の内部に具設されており、前記内部胴１１０の外壁と前記外部胴１２０の内壁との間に中空空間１５０が形成されていることを特徴とする三味線を提供する。【０００６】  前記内部胴１１０の経口１１１に固着された状態で表皮１４０が備えられていることが好ましい。また、前記外部胴１２０の経口１２１に固着された状態で表皮１４０が備えられていることが好ましい。【０００７】  前記表皮１４０における前記中空空間１５０の上部領域の全部または一部において、ホール部１９０が設けられていることが好ましい。【０００８】  前記内部胴１１０は中空の略円柱形状であることが好ましい。また、前記内部胴１１０は中空の略四角柱形状であることも好ましい。【０００９】  前記外部胴１２０の周壁１２２に、少なくとも一つの貫通部１２５が形成されていることが好ましい。【００１０】  前記内部胴１１０と前記外部胴１２０との間に、介在部材１６０が設けられていることが好ましい。【００１１】  前記貫通部１２５の内部に、音発生部材１８０が取り付けられていることが好ましい。
【発明の効果】
【００１２】  外部胴１２０において、彫刻を施せる領域が拡大して、装飾の自由度を高めることが出来る。また、外部胴１２０によって、内部胴１１０の周壁１１２が損傷しないように保護される。言い換えれば、外部胴１２０が内部胴１１０の保護カバーの役割をする。【００１３】  外部胴の周壁に、各種の音発生部材１８０（鈴・鐘・ベル・木琴など）を取り付けることによって、複合的な音響を楽しむことが出来る。【００１４】  周壁１２２に彫刻した彫りが深くなり貫通部１２５が生じた場合でも、内部胴１１０に固着された表皮１４０の響きの横漏れを防ぐことが可能である。
【発明を実施するための形態】
【００１５】  図１は三味線１００の一部を省略した斜視図であり、図２は三味線１００の正面断面図であり、図３は内部胴１１０の斜視図であり、図４は外部胴１２０の斜視図である。
【００１６】  図示した図では、三味線１００の内部胴１１０と外部胴１２０を中心に表しており、天神、糸、糸巻き等を省略しているが、通常使用される部材が具備されている三味線を想定している。
【００１７】  図示しているように、内部胴１１０および外部胴１２０は、中木１３１を介して棹１３０と接合している。
【００１８】  内部胴１１０は上面に経口１１１を有し、周壁１１２には角孔１１３と丸孔１１４が形成されており、表皮１４０は経口１１１と糊付けされて固着されている。
図１・図３・図７〜図１１の上方にＡＡ波線を示したが、ＡＡ波線よりも下方においては、見やすさを考慮して表皮１４０を省略してある。
【００１９】  外部胴１２０は上面に経口１２１を有し、周壁１２２には角孔１２３と丸孔１２４が形成されている。
角孔１１３と角孔１２３は中木１３１の根元部が挿通可能な大きさを有し、丸孔１１４と丸孔１２４は中木１３１の先端部が挿通可能な大きさを有している。
外部胴１２０の底辺には、サウンドホール１２６が形成されており、サウンドホール１２６は、胴内部での響きを外部へ放射させる役割を有している。
【００２０】  外部胴１２０の周壁１２２を利用して、様々に造形することが可能であり、例えば、彫刻を施すことも可能であり、彫り物によって貫通部１２５が生じたとしても、本発明による三味線では、内部胴１１０の周壁１１２によって、貫通部１２５から音が外部へ放射されることを防ぐことが出来る。
【００２１】  内部胴１１０の外壁と外部胴１２０の内壁との間に、中空空間１５０が形成されており、中空空間１５０を活用して、装飾可能な領域を拡大させることが出来る。
【００２２】  図示した例では外部胴１２０の周壁１２２には、複数個の貫通部１２５が形成されているが、この貫通部１２５は、小さい孔でも、大きい孔でも、多種多様な形状であっても、本発明を構成することが可能である。
【００２３】  図５は変形例１００Ａの一部を省略した斜視図であり、図６は図５の正面断面図である。図示しているように、内部胴１１０と外部胴１２０との間に介在部材１６０が設けられている。介在部材１６０は中木１３１を挿通させる貫通孔を有している。複数個の介在部材１６０を内部胴１１０と外部胴１２０の間に設けることが可能である。
【００２４】  介在部材１６０によって、内部胴１１０の振動が外部胴１２０に直接的に伝達されないため、内部胴１１０の中での響きを向上させることが可能である。
内部胴１１０の底部に、裏皮１４１を取り付けることも可能であり、表皮１４０と裏皮１４１によって閉じられた空間が形成され、音響効果を向上させることが可能である。
【００２５】  図７は変形例１００Ｂの一部を省略した斜視図である。図示しているように、外部胴１２０の経口１２１に波型の形状になっている。このように外部胴１２０において上辺をさらに有効活用させることで、意匠の向上を図ることが可能である。
【００２６】  図８は変形例１００Ｃの一部を省略した斜視図である。図示しているように、貫通部１２５の内部に棒状部材１７０が備えられており、棒状部材１７０にビーズ等の装飾体１７５が飾られている。
【００２７】  図９は変形例１００Ｄの一部を省略した斜視図である。図示しているように、貫通部１２５の内部に鈴１８０Ａが取り付けられている。
【００２８】  鈴のみならず、ベル・鐘などの音発生部材を取り付けることが可能であり、三味線を揺らすことで、音発生部材１８０に応じて各種の音を楽しむことが出来る。
【００２９】  図１０は変形例１００Ｅの一部を省略した斜視図である。図示しているように、貫通部１２５に棒状部材１７０が備えられており、棒状部材１７０に木琴１８０Ｂが取り付けられている。バチや棒などでこの部分をたたくと、その音色を楽しむことが出来る。
【００３０】  図１１は変形例１００Ｆの一部を省略した斜視図である。
図１〜図１０までの内部胴１１０は中空の略円柱形状であったが、図１１以降で示す内部胴１１０は中空の略四角柱形状である。
【００３１】  内部胴１１０が中空の略四角柱形状であると、中空の略円柱形状に比べて、内部胴１１０内部の容積を拡張させることが可能である。一般的に内部胴１１０の容積が大きいほど、表皮１４０の振動を伝える音響特性が高まる為、音響の向上に繋げることが出来る。
また、略円柱形状よりも略四角柱形状の方が加工しやすく製造コストの軽減に繋げることが出来る。
【００３２】  図１２は変形例１００Ｇの一部を省略した斜視図である。
図示しているように、内部胴１１０の対角線が、中木１３１と略平行になるように配置されている。言い換えれば、内部胴１１０の対角線と外部胴１２０の対角線を結ぶ侠角が約４５度の状態で内部胴１１０と外部胴１２０が配置されている。
【００３３】＜表皮の位相＞
図８〜図１２で示す例では、表皮１４０は、外部胴１２０の経口１２１と糊付けされて固着されている。言い換えれば、図１〜図７のように、表皮１４０を内部胴１１０の経口１１１に糊付けすることも可能であり、図８〜図１２のように、表皮１４０を外部胴１２０の経口１２１に糊付けすることも可能である。
【００３４】  表皮１４０が外部胴１２０の経口１２１に固着されていることで、内部胴１１０の外壁と外部胴１２０の内壁の間に形成された中空空間１５０の上部においても表皮１４０が延びており、この部分を棒やバチ等で叩くと、図１〜図７の表皮１４０とは異なる音を生み出すことが出来る。音のバリエーションをさらに拡げることが可能である。
勿論、表皮１４０を外部胴１２０の経口１２１のみならず、内部胴１１０の経口１１１にも糊付けさせることも可能である。
【００３５】  図９〜図１２においては、中空空間１５０の上部領域において表皮１４０にホール部１９０が設けられている。
図９で示す例では、中空空間１５０とほぼ同じ面積においてホール部１９０が形成されており、図１０で示す例では、略円形のホール部１９０が形成されている。
【００３６】  図１１で示す例では、内部胴１１０の外壁のコーナーと外部胴１２０の内壁のコーナーに沿ってホール部１９０が形成されており、図１２で示す例では、外部胴１２０の四隅において２個ずつホール部１９０が形成されている。
【００３７】  ホール部１９０が形状は、丸、楕円、四角、三角、多角形など様々な形状が可能である。このホール部１９０を表皮１４０に設けることで、三味線１００の意匠性・装飾性の向上に繋げることが可能であり、ホール部１９０の位相・大きさの違いによる音響の変化を楽しむことも可能である。
【００３８】  本発明における「固着」とは、糊・ボンドなどの接着材を用いて接着すること、ネジ・釘・画鋲・金具などを用いて固定することを意味する。言い換えれば、経口１１１・経口１２１は、表皮１４０を接合（固着）させる役割を有している。
【００３９】＜素材＞
表皮１４０の素材として、天然皮、人工皮、紙、薄板などを利用することが可能であり、内部胴１１０・介在部材１６０・棒状部材１７０の素材として、天然皮、金属、木材、プラスチック、合成樹脂、セラミック、陶器、ゴムなどを利用することが可能である。
【図面の簡単な説明】
【００４０】
【図１】三味線１００の一部を省略した斜視図である。
【図２】図１の正面断面図である。
【図３】内部胴１１０の斜視図（隠れ線付き）である。
【図４】外部胴１２０の斜視図（隠れ線付き）である。
【図５】変形例１００Ａの一部を省略した斜視図である。
【図６】図５の正面断面図である。
【図７】変形例１００Ｂの一部を省略した斜視図である。
【図８】変形例１００Ｃの一部を省略した斜視図である。
【図９】変形例１００Ｄの一部を省略した斜視図である。
【図１０】変形例１００Ｅの一部を省略した斜視図である。
【図１１】変形例１００Ｆの一部を省略した斜視図である。
【図１２】変形例１００Ｇの一部を省略した斜視図である。
【符号の説明】
【００４１】１００  三味線、  １１０  内部胴、    １１１  経口、      １１２  周壁
１１３  角孔、    １１４  丸孔、      １２０  外部胴、    １２１  経口
１２２  周壁、    １２３  角孔、      １２４  丸孔、      １２５  貫通部
１２６  サウンドホール
１３０  棹、      １３１  中木
１４０  表皮、    １４１  裏皮、      １５０  中空空間、  １６０  介在部材
１７０  棒状部材、１７５  装飾体
１８０  音発生部材（１８０Ａ：鈴  １８０Ｂ：木琴）
１９０  ホール部
【図１】
2019074725.tif 000003
【図２】
2019074725.tif 000004
【図３】
2019074725.tif 000005
【図４】
2019074725.tif 000006
【図５】
2019074725.tif 000007
【図６】
2019074725.tif 000008
【図７】
2019074725.tif 000009
【図８】
2019074725.tif 000010
【図９】
2019074725.tif 000011
【図１０】
2019074725.tif 000012
【図１１】
2019074725.tif 000013
【図１２】
2019074725.tif 000014